(57)【要約】      （修正有）【課題】摺動可能な障子を備える建具において、下枠と障子の隙間に落下した雨水に起因する室内側への水の侵入を確実に防止できる構成を提供すること。【解決手段】建具の下枠１２は、見込方向室外側から立ち上がる立ち上がり部１３０を有し、外障子の下框延出部４２５の室外側を向く見付面４２５ａと立ち上がり部１３０の間に水切材（クッション材）４２７が配置される。水切材４２７は、外障子の下框延出部４２５の見付面４２５ａに固定される。【選択図】図５
2019163659.tif 000002
【特許請求の範囲】
【請求項１】
レールを有する下枠及び前記レールに対して摺動可能な障子を備える建具において、
前記下枠は、見込方向室外側から立ち上がる立ち上がり部を有し、
前記障子の室外側を向く見付面と前記立ち上がり部の間にクッション材が配置される建具。
【請求項２】
前記レールは、見込方向に間隔をあけて２つ以上配置され、
前記障子は、
前記レールのうち、室外側に位置する前記レールに対して摺動可能な外障子と前記レールのうち、室内側に位置する前記レールに対して摺動可能な内障子であって、
前記クッション材は、
前記外障子の室外側を向く前記見付面に固定される請求項１に記載の建具。
【請求項３】
前記クッション材は、
前記障子又は前記下枠の何れか一方の見付面に固定される固定部と、
前記固定部から前記障子又は前記下枠の何れか他方に向かって延出するとともに先端が上向きの延出片と、を有する請求項１又２に記載の建具。
【請求項４】
前記立ち上がり部には排水孔が形成され、
前記クッション材は、前記排水孔よりも上方に配置される請求項１から３までの何れかに記載の建具。
【発明の詳細な説明】
【技術分野】
【０００１】
本発明は、レールを有する下枠及び前記レールに対して摺動可能な障子を備える建具に関する。
【背景技術】
【０００２】
従来、引戸や引違い窓等の摺動可能な障子を備える建具において、室外側からの雨水の侵入を防止するための構造を備えるものが知られている。この種の技術を開示するものとして特許文献１がある。
【０００３】
特許文献１には、召合せ部空間が室外空間と等圧な等圧空間とされるとともに、強風を伴った雨水が下枠と内障子との隙間から吹き込んだとしても、この雨水が越えることができない高さ寸法を有したＡＴ材によって阻止する構成について記載されている。これによって、内外の召合せ框間から室内空間への雨水の浸入を防止して水密性能の向上を図ることができるとしている。
【先行技術文献】
【特許文献】
【０００４】
【特許文献１】特開２００７−５１５３５号公報
【発明の概要】
【発明が解決しようとする課題】
【０００５】
特許文献１に記載されるような構成でも、下枠と障子の隙間から水が入り込むこと自体は防止できない。そのため、下枠の内側に下枠と障子の隙間から侵入した水が溜まることがある。この状態で水溜まりに雨水が落下すると、水溜まり水面に衝突した衝撃で水が搖動し、室内側に配置される気密材に掛かかって室内側に水が入り込む原因にもなる。特に、ビル等の高層階では室外側の強風によって漏気とともに水が室内側に入り込むおそれがあった。
【０００６】
本発明は、摺動可能な障子を備える建具において、下枠と障子の隙間に落下した雨水に起因する室内側への水の侵入を確実に防止できる構成を提供することを目的とする。
【課題を解決するための手段】
【０００７】
本発明は、レール（例えば、後述の室内側レール１２３、室外側レール１２８）を有する下枠（例えば、後述の下枠１２）及び前記レールに対して摺動可能な障子（例えば、後述の外障子４０）を備える建具（例えば、後述の建具１）において、前記下枠は、見込方向室外側から立ち上がる立ち上がり部（例えば、後述の室外側立ち上がり部１３０）を有し、前記障子の室外側を向く見付面（例えば、後述の見付面４２５ａ）と前記立ち上がり部の間にクッション材（例えば、後述の水切材４２７）が配置される建具に関する。
【０００８】
前記レールは、見込方向に間隔をあけて２つ以上配置され、前記障子は、前記レールのうち、室外側に位置する前記レールに対して摺動可能な外障子（例えば、後述の外障子４０）と前記レールのうち、室内側に位置する前記レールに対して摺動可能な内障子（例えば、後述の内障子２０）であって、前記クッション材は、前記外障子の室外側を向く前記見付面に固定される。
【０００９】
前記クッション材は、前記障子又は前記下枠の何れか一方の見付面に固定される固定部（例えば、後述の固定部４２７ａ）と、前記固定部から前記障子又は前記下枠の何れか他方に向かって延出するとともに先端が上向きの延出片（例えば、後述の延出片４２７ｂ）と、を有することが好ましい。
【００１０】
前記立ち上がり部には排水孔（例えば、後述の排水孔１３１）が形成され、前記クッション材は、前記排水孔よりも上方に配置されることが好ましい。
【発明の効果】
【００１１】
本発明の建具によれば、下枠と障子の隙間に落下した雨水に起因する室内側への水の侵入を確実に防止できる。
【図面の簡単な説明】
【００１２】
【図１】本発明の一実施形態に係る建具を室内側から見た姿図である。
【図２】本実施形態の建具の縦断面図である。
【図３】本実施形態の建具の横断面図である。
【図４】本実施形態の建具において水が下枠に溜まっている状態を模式的に示す縦断面図である。
【図５】本実施形態の建具において外障子と下枠の間に配置される水切材を示す拡大縦断面図である。
【発明を実施するための形態】
【００１３】
以下、本発明の好ましい実施形態について、図面を参照しながら説明する。なお、本明細書において、「見付方向」とは、建物に形成された開口部に納められた建具における障子の面方向を意味し、「見込方向」とは、上記障子の厚み方向を意味する。
【００１４】
図１は、本発明の一実施形態に係る建具１を室内側から見た姿図である。図２は、本実施形態の建具１の縦断面図である。図３は本実施形態の建具１の横断面図である。
【００１５】
本実施形態の建具１は、建物の開口部に固定される枠体１０と、枠体１０の内側で摺動可能に配置される内障子２０及び外障子４０と、外障子４０の更に室外側で摺動可能に配置される網戸５０と、を主要な構成として備える引違い窓である。
【００１６】
枠体１０は、上枠１１、下枠１２及び左右の縦枠１３，１４が略矩形に枠組みされて構成される。上枠１１、下枠１２及び左右の縦枠１３，１４は、アルミの押出し成形品であり、金属製である。
【００１７】
上枠１１について説明する。上枠１１の下面には、内障子２０の上部を挟み込む室内側溝部１１１と、外障子４０の上部を挟み込む室外側溝部１１２と、が形成される。室内側溝部１１１及び室外側溝部１１２は、何れも下方に開口するとともに左右方向に延びる溝である。室内側溝部１１１と室外側溝部１１２は、見込方向で隣接している。
【００１８】
下枠１２について説明する。下枠１２の見込方向室内側端部には、上方に立ち上がる室内側立ち上がり部１２０が形成される。室内側立ち上がり部１２０における室外側の見付面上部には気密材１２２を嵌合する嵌合部１２１が形成される。
【００１９】
下枠１２の室内側立ち上がり部１２０の室内側には、当該室内側立ち上がり部１２０に対向するように上方に延出する室内側レール１２３が形成される。室内側レール１２３の室外側の見付面には、見込方向室外側に延び出る延出片１２４が形成される。延出片１２４の室外側の端部には、気密材１２６を嵌合する嵌合部１２５が形成される。
【００２０】
室内側レール１２３の基端部には、延出片１２４の下方には、下方に傾斜しつつ室外側に向かった後、水平方向に沿って室外側に向かう底面部１２７が形成される。底面部１２７の室外側端部には、室外側レール１２８が形成される。
【００２１】
室外側レール１２８の室外側に下側に下がる段差部１２９が形成される。この段差部１２９の室外側端部には、上方に立ち上がる室外側立ち上がり部１３０が形成される。室外側立ち上がり部１３０は、その見付面に排水孔１３１が形成される。
【００２２】
縦枠１３の内側の見込面には内障子２０に対向する衝突防止部材１３５が配置されるとともに、縦枠１４の内側の見込面には外障子４０の衝突防止部材１３６が配置される。
【００２３】
内障子２０及び外障子４０は、何れも引き戸であり、これらを左右方向（見付方向）にスライドさせることで、開口部が閉鎖又は開放される。図１では、内障子２０及び外障子４０の両方が閉鎖位置にある状態が示されている。
【００２４】
内障子２０について説明する。内障子２０は、上框２１、下框２２及び左右の縦框である召内框２３，戸先框２４により矩形に枠組みされた框体２５と、框体２５内に嵌め込まれて固定された面材としての複層ガラス２６と、を含んで構成される。
【００２５】
上框２１は、中空部を有する上框本体部２１０と、上框本体部２１０の下側に形成され、複層ガラス２６の端部が挟み込まれるガラス溝部２１１と、を備える。
【００２６】
下框２２は、中空部を有する下框本体部２２０と、下框本体部２２０の上側に形成され、複層ガラス２６の端部が挟み込まれるガラス溝部２２１と、下框本体部２２０の下側に形成されるカバー部２２２と、を備える。下框本体部２２０の下面には、複数の戸車２７が回転可能に配置される。
【００２７】
召内框２３は、中空部を有する召内框本体部２３０と、召内框本体部２３０の戸先側（戸先框２４側）に形成され、複層ガラス２６の端部が挟み込まれるガラス溝部２３１と、を備える。召内框本体部２３０の室外側の見付面には、気密材２３３が配置される嵌合部２３２と、嵌合部２３２の戸先側で見込方向室外側に延びた後、見付方向の縦枠１４側に屈曲する召内側煙返し部２３５と、が形成される。また、図１に示すように、召内框２３には戸締り用のクレセント錠２９（図２及び図３において図示省略）が配置される。
【００２８】
戸先框２４は、中空部を有する戸先框本体部２４０と、戸先框本体部２４０の縦枠１３側に形成され、複層ガラス２６の端部が挟み込まれるガラス溝部２４１と、を備える。戸先框本体部２４０の縦枠１４側には、クッション材２４３が嵌合する嵌合部２４２が形成される。
【００２９】
外障子４０について説明する。外障子４０は、上框４１、下框４２及び左右の縦框である召外框４３，戸先框４４により矩形に枠組みされた框体４５と、框体４５内に嵌め込まれて固定された面材としての複層ガラス４６と、を含んで構成される。
【００３０】
框体４５のうち、上框４１、召外框４３及び戸先框４４は、内障子２０の上框２１、召内框２３及び戸先框２４と略同様の構成である。上框４１は、上框本体部４１０とガラス溝部４１１を備える。召外框４３は、召内框本体部４３０とガラス溝部４３１を備え、召内框本体部４３０の室内側の見付面には、見込方向室内側に延びた後、見付方向の縦枠１３側に屈曲する召外側煙返し部４３５が形成される。召外側煙返し部４３５は、室内側から召内側煙返し部２３５に見込方向で対向する。戸先框４４は、戸先框本体部４４０と、ガラス溝部４４１と、を備える。戸先框本体部４４０の縦枠１３側には、クッション材４４３が嵌合する嵌合部４４２が形成される。
【００３１】
下框４２は、中空部を有する下框本体部４２０と、下框本体部４２０の上側に形成され、複層ガラス４６の端部が挟み込まれるガラス溝部４２１と、下框本体部４２０の下側に形成され、複数の戸車４７が回転可能に配置される戸車支持部４２２と、を備える。
【００３２】
戸車支持部４２２の室外側の見付面下部には、下側に延出する下框延出部４２５が形成されており、後述する下枠１２の室外側立ち上がり部１３０に見込方向で対向する位置関係にある。下框延出部４２５は、下框４２の長手方向に沿って形成されており、室外側立ち上がり部３０との間に隙間を形成する。この下框延出部４２５の下端部には水切材４２７（図３において図示省略）を保持する嵌合部４２６が形成される。
【００３３】
図２に示すように、網戸５０は、外障子４０の室外側で摺動可能に上枠１１及び下枠１２に取り付けられる。上枠１１の室外側溝部１１２を室外側で形成する室外側壁部１１３は、網戸５０の上部５１が係合する係合部として機能する。また、下枠１２の室外側立ち上がり部１３０が網戸５０の下部５２が係合する係合部として機能する。なお、図３以降において網戸５０の図示は省略している。
【００３４】
次に、水切材４２７の詳細な構成について説明する。図４は、本実施形態の建具１において水が下枠１２に溜まっている状態を模式的に示す縦断面図である。図４では、薄墨（グレー）によって水が表現されており、雨水等によって下枠１２の内側に水溜まりＷが生じていることが表現されている。
【００３５】
図４に示すように、水切材４２７は、下枠１２の室外側立ち上がり部１３０と、下框延出部４２５の見付面４２５ａの間の隙間に配置される。本実施形態の水切材４２７は、外障子４０側に固定される。
【００３６】
図５は、本実施形態の建具１において外障子４０と下枠１２の間に配置される水切材４２７を示す拡大縦断面図である。なお、図５では、水溜まりＷを表現する薄墨を省略している。
【００３７】
図５に示すように、水切材４２７は、下框延出部４２５の嵌合部４２６に嵌合される固定部４２７ａと、固定部４２７ａから見込方向室外側に延出する延出片４２７ｂと、を備える。固定部４２７ａと延出片４２７ｂは、弾性変形可能な材料（例えば、パッキンを構成するゴムと同じ材料）によって一体的に成形されている。
【００３８】
固定部４２７ａから延出する延出片４２７ｂは、その先端が上を向くヒレ状に形成される。延出片４２７ｂの先端部は、室外側立ち上がり部１３０の室内側の見付面に接触している。本実施形態では、排水孔１３１の上方で延出片４２７ｂが室外側立ち上がり部１３０に接触している。外障子４０が左右方向に移動するときは、延出片４２７ｂが弾性変形しつつ室外側立ち上がり部１３０との接触が維持される。
【００３９】
図５に示すように、下枠１２の内側に水溜まりＷが生じている状態で、室外側立ち上がり部１３０（下枠１２）と下框延出部４２５（下框４２）の間の隙間に雨（水滴）が落下したとしても、水切材４２７の延出片４２７ｂによってその衝撃が吸収される。
【００４０】
上記実施形態によれば、以下のような効果を奏する。
本実施形態の建具１の下枠１２は、見込方向室外側から立ち上がる立ち上がり部１３０を有し、外障子４０の下框延出部４２５の室外側を向く見付面４２５ａと立ち上がり部１３０の間に水切材（クッション材）４２７が配置される。
【００４１】
これにより、下枠１２の段差部１２９から底面部１２７にかけてまで水溜まりＷが形成されている場合でも、水面が搖動しなくなるので、水溜まりが波打って下枠１２と外障子４０の隙間（例えば、気密材１２６と下框４２の隙間）を通じて室内側に漏水する事態を確実に防止することができる。また、下枠１２と外障子４０の間に配置される水切材４２７により、雨水を室外側へ跳ね返したり、雨水の運動エネルギーが減衰して下降する勢いを弱めたりすることもできる。
【００４２】
また、本実施形態では、水切材４２７は、外障子４０の下框延出部４２５の見付面４２５ａに固定される。
【００４３】
これにより、下框４２に水切材４２７が固定されているので、組付時に下枠１２に水切材４２７を捩れることなく容易かつ適切に当接させることができ、良好な水密性能を実現できる。
【００４４】
また、本実施形態では、水切材４２７は、外障子４０の見付面４２５ａに固定される固定部４２７ａと、固定部４２７ａから下枠１２に向かって延出するとともに先端が上向きの延出片４２７ｂと、を有する。
【００４５】
これにより、上向きの延出片４２７ｂによって落下する雨水の勢いを効果的に減衰させることができる。また、上向きに下枠１２に当接させればよいので、組付性もよく、外障子４０が移動したときの水切材４２７のねじれ等も効果的に防止できる。
【００４６】
また、本実施形態では、室外側立ち上がり部１３０には排水孔１３１が形成され、水切材４２７は、排水孔１３１よりも上方に配置される。
【００４７】
これにより、下枠１２の排水を妨げることなく、水切材４２７によって水面の搖動を防止することができる。
【００４８】
以上、本発明の好ましい実施形態について説明したが、本発明は、上述の実施形態に制限されるものではなく、適宜変更が可能である。
【００４９】
上記実施形態では、外障子４０の下端部にクッション材としての水切材４２７が保持される構成であるが、この構成に限定されない。例えば、網戸５０を備えないような構成では、水切材４２７と網戸５０の下部５２が干渉しないので、水切材４２７を室外側立ち上がり部１３０の上端部近傍に位置するように構成することもできる。また、下枠１２側で水切材４２７を保持し、該水切材４２７の延出片４２７ｂが外障子４０の下框４２側に延び出る構成とすることもできる。
【００５０】
上記実施形態では、建具１として引き違い窓を例に説明したが、この構成に限定されない。例えば、引戸を備える建具にも本発明を適用することができる。
【符号の説明】
【００５１】
１  建具
１２  下枠
２０  内障子
４０  外障子（障子）
４２  下框
１２３  室内側レール（レール）
１２８  室外側レール（レール）
１３０  室外側立ち上がり部（立ち上がり部）
４２７  水切材（クッション材）
４２７ａ  固定部
４２７ｂ  延出片
【図１】
2019163659.tif 000003
【図２】
2019163659.tif 000004
【図３】
2019163659.tif 000005
【図４】
2019163659.tif 000006
【図５】
2019163659.tif 000007